(57)【要約】  シーツの交換を容易にするベッドフレームであって、その上にマットレスを載置するための回転モジュール（１０２）が設けられたベース（１００）を含み、ベース（１００）と回転モジュール（１０２）との間に位置するスライドモジュール（１０３）と、スライドモジュール（１０３）とベース（１００）との間に位置し、スライドモジュール（１０３）をベース（１００）の長手方向に沿ってスライドさせるスライド機構（２００）と、スライドモジュール（１０３）と回転モジュール（１０２）との間に位置し、回転モジュール（１０２）をスライドモジュール（１０３）の中軸線を軸心線として回転させる回転機構（３００）とをさらに含む。スライド機構（２００）と回転機構（３００）の協働により、作業者は、一箇所に立つだけで、シーツを交換することができ、作業者の手間と時間を大幅に省くことができる。シーツの交換が完了する毎にマットレスがちょうど１８０度回転され、マットレスの寿命を延ばすことができる。【選択図】図２
2021518801.tif 000002
【特許請求の範囲】
【請求項１】
シーツの交換を容易にするベッドフレームであって、
その上にマットレスを載置するための回転モジュール（１０２）が設けられたベース（１００）を含み、
ベース（１００）と回転モジュール（１０２）との間に位置するスライドモジュール（１０３）と、
スライドモジュール（１０３）とベース（１００）との間に位置し、スライドモジュール（１０３）をベース（１００）の長手方向に沿ってスライドさせるスライド機構（２００）と、
スライドモジュール（１０３）と回転モジュール（１０２）との間に位置し、回転モジュール（１０２）をスライドモジュール（１０３）の中軸線を軸心線として回転させる回転機構（３００）とをさらに含む、
ことを特徴とするシーツの交換を容易にするベッドフレーム。
【請求項２】
前記スライド機構（２００）は、ベース（１００）に設けられた少なくとも２本のスライドレール（２０１）を含み、
前記スライドレール（２０１）は、ベース（１００）の長手方向に沿って設けられ、
回転モジュール（１０２）の底面には、スライドレール（２０１）と係合するスライダ（２０２）が設けられている、
ことを特徴とする請求項１に記載のシーツの交換を容易にするベッドフレーム。
【請求項３】
前記スライド機構（２００）は、ベース（１００）に設けられた少なくとも２本のスライド溝（２０３）を含み、
前記スライド溝（２０３）は、ベース（１００）の長手方向に沿って設けられ、
回転モジュール（１０２）の底面には、スライド溝（２０３）に嵌め込むスライド部材（２０４）が設けられ、
スライド部材（２０４）は、スライド溝（２０３）を転動可能であり、
前記スライド部材（２０４）は、プーリ又はユニバーサルボールである、
ことを特徴とする請求項１に記載のシーツの交換を容易にするベッドフレーム。
【請求項４】
前記回転機構（３００）は、回転モジュール（１０２）とスライドモジュール（１０３）との間に設けられた回転アセンブリ（３０１）を含み、
回転モジュール（１０２）は、回転アセンブリ（３０１）により回転可能である、
ことを特徴とする請求項２又は３に記載のシーツの交換を容易にするベッドフレーム。
【請求項５】
前記回転アセンブリ（３０１）は、スライドモジュール（１０３）に設けられた軸受ブロック（３０１３）を含み、
前記回転モジュール（１０２）には、軸受ブロック（３０１３）に回転可能に接続された回転軸（３０１４）が設けられている、
ことを特徴とする請求項４に記載のシーツの交換を容易にするベッドフレーム。
【請求項６】
前記回転アセンブリ（３０１）は、上面が回転モジュール（１０２）に固着され、底面がスライドモジュール（１０３）に固着された大型回転盤（３０１５）を含む、
ことを特徴とする請求項４に記載のシーツの交換を容易にするベッドフレーム。
【請求項７】
前記回転アセンブリ（３０１）は、上面が回転モジュール（１０２）に固着され、底面がスライドモジュール（１０３）に固着された小型回転盤（３０１１）を含み、
スライドモジュール（１０３）には、小型回転盤（３０１１）を囲んで設けられた複数の回転部材（３０１２）を更に設けられ、
前記回転部材（３０１２）は、ユニバーサルボールまたはユニバーサルホイールである、
ことを特徴とする請求項４に記載のシーツの交換を容易にするベッドフレーム。
【請求項８】
前記ベース（１００）には、それぞれスライドモジュール（１０３）がスライド移動する初期位置と終端位置とに位置する２つのストッパ（１０５）が設けられている、
ことを特徴とする請求項１に記載のシーツの交換を容易にするベッドフレーム。
【請求項９】
前記スライドモジュール（１０３）には、小型回転盤（３０１１）に関して対象に設けられた２つの位置決め部材（１０４）が更に設けられ、
回転モジュール（１０２）の底面には、位置決め部材（１０４）と係合する位置決め溝（１０６）が設けられ、
２つの位置決め部材（１０４）を結ぶ線は、スライドモジュール（１０３）のスライド方向に対して垂直である、
ことを特徴とする請求項７に記載のシーツの交換を容易にするベッドフレーム。
【発明の詳細な説明】
【技術分野】
【０００１】
本発明は、ベッドフレームの分野に関し、特にシーツの交換を容易にするベッドフレームに関する。
【背景技術】
【０００２】
ホテル等の宿泊施設において、シーツを交換する場合、ベッドを壁から引き出してマットレスを移動させることによりシーツを交換することが行われているが、ベッドやマットレス量が重いため、引っ張るのに手間がかかる。
【０００３】
従来、特許文献１には、ライニングフレームが摺動可能なホテル用ベッドが開示され、背もたれを有するベッドフレームと、ベッドフレームに設けられた支持用のライニングフレームを含み、ライニングフレームの下方とベッドフレームの上方との間に互いに摺動可能な摺動装置が設けられ、前記摺動装置が、摺動用のレールと、このレールに係合して摺動する摺動ユニットとを有する引出し式摺動装置であり、ベッドフレームの上方とライニングフレームの下方とにおいて、ベッドフレームとライニングフレームとの間の互いに対応する位置関係で、レールと摺動ユニットとがそれぞれベッドフレーム、ライニングフレームに固着されている。
【０００４】
このようなライニングフレームが摺動可能なホテル用ベッドは、ライニングフレームを外側へ引き出してシーツを交換するのに便利である。しかし、シーツを交換する際に、作業者は、シーツを完全にライニングフレームとマットレスとの間に詰め込むために、ライニングフレームを１周する必要があり、作業者に手間がかかる。
【先行技術文献】
【特許文献】
【０００５】
【特許文献１】中国実用新案第２０３８１５０１６号明細書
【発明の概要】
【発明が解決しようとする課題】
【０００６】
本発明の目的は，シーツの交換を容易にする利点を有するシーツの交換を容易にするベッドフレームを提供することにある。
【課題を解決するための手段】
【０００７】
本発明の上記技術的目的は、以下の技術手段によって達成される。
シーツの交換を容易にするベッドフレームであって、その上にマットレスを載置するための回転モジュールが設けられたベースを含み、ベースと回転モジュールとの間に位置するスライドモジュールと、スライドモジュールとベースとの間に位置し、スライドモジュールをベースの長手方向に沿ってスライドさせるスライド機構と、スライドモジュールと回転モジュールとの間に位置し、回転モジュールをスライドモジュールの中軸線を軸心線として回転させる回転機構とをさらに含む。
【０００８】
上記構成を採用することによって、シーツ交換が必要な場合には、スライド機構によりスライドモジュール及びそれ以上の部材を引き出し、その後回転機構により回転モジュールを回転させることにより、作業者がベッドフレームの回りを移動することなく、回転モジュールとマットレスとの間にシーツを詰め込むことができ、時間と手間が省け、迅速であり便利である。
【０００９】
さらに、前記スライド機構は、ベースに設けられた少なくとも２本のスライドレールを含み、スライドレールは、ベースの長手方向に沿って設けられ、回転モジュールの底面には、スライドレールと係合するスライダが設けられている。
【００１０】
上記構成を採用することによって、スライドレールとスライダとが係合して摩擦抵抗が小さいだけでなく、スライドレールがスライドモジュールのスライド移動経路を規定し、スライドモジュールがスライド移動経路からずれることを回避する。
【００１１】
更に、前記スライド機構は、ベースに設けられた少なくとも２本のスライド溝を含み、スライド溝は、ベースの長手方向に沿って設けられ、回転モジュールの底面には、スライド溝に嵌め込むスライド部材が設けられ、スライド部材は、スライド溝を転動可能であり、前記スライド部材は、プーリ又はユニバーサルボールである。
【００１２】
上記構成を採用することによって、スライド部材がスライド溝内で回転モジュールをスライドさせるので、便利である。
【００１３】
さらに、前記回転機構は、回転モジュールとスライドモジュールとの間に設けられた回転アセンブリを含み、回転モジュールは、回転アセンブリにより回転可能である。
【００１４】
上記構成を採用することによって、回転アセンブリによって回転モジュールをスライドモジュールに対して回転させることにより、シーツの交換を容易に行うことができる。
【００１５】
さらに、前記回転アセンブリは、スライドモジュールに設けられた軸受ブロックを含み、前記回転モジュールには、軸受ブロックに回転可能に接続された回転軸が設けられている。
【００１６】
上記構成を採用することによって、回転軸が軸受ブロックに係合し、これにより回転モジュールがスライドモジュールに対して回転可能となり、これによりシーツの交換が容易になる。
【００１７】
さらに、前記回転アセンブリは、上面が回転モジュールに固着され、底面がスライドモジュールに固着された大型回転盤を含む。
【００１８】
上記構成を採用することによって、回転モジュールが大型回転盤によってスライドモジュールに対して回動可能となり、シーツの交換が容易になる。
【００１９】
さらに、前記回転アセンブリは、上面が回転モジュールに固着され、底面がスライドモジュールに固着された小型回転盤を含み、スライドモジュールには、小型回転盤を囲んで設けられた複数の回転部材を更に設けられ、前記回転部材は、ユニバーサルボールまたはユニバーサルホイールである。
【００２０】
上記構成を採用することによって、回転部材が小型回転盤の回転領域を広くし、小型回転盤のサイズを小さくし、材料を節約することができる。
【００２１】
さらに、前記ベースには、それぞれスライドモジュールがスライド移動する初期位置と終端位置とに位置する２つのストッパが設けられている。
【００２２】
上記構成を採用することによって、スライドモジュールが初期位置にあるときは、回転モジュールのスライドを回避することができ、スライドモジュールが終端位置にあるときは、作業者が回転モジュールを回転させることが容易になる。
【００２３】
さらに、前記スライドモジュールには、小型回転盤に関して対象に設けられた２つの位置決め部材が更に設けられ、回転モジュールの底面には、位置決め部材と係合する位置決め溝が設けられ、２つの位置決め部材を結ぶ線は、スライドモジュールのスライド方向に対して垂直である。
【００２４】
上記構成を採用することによって、このように回転モジュールが１８０度回転すると、回転モジュールとスライドモジュールとがちょうど相対的に固定され、回転モジュールのがたつきが回避される。
【発明の効果】
【００２５】
以上のように、本発明によれば、次のような効果を得ることができる。
１、スライド機構と回転機構との協働により、作業者は、一箇所に立つだけでシーツを交換することができ、作業者の手間と時間を大幅に省くことができる。
２、シーツの交換が完了する度にマットレスがちょうど１８０度回転されるので、マットレスの寿命を延ばすことができる。
【図面の簡単な説明】
【００２６】
【図１】図１は、実施例１におけるベッドフレームの側面図である。
【図２】図２は、実施例１におけるベッドフレームの分解図である。
【図３】図３は、実施例１におけるベースの構造を示す図である。
【図４】図４は、実施例１におけるスライドモジュールの構造を示す図である。
【図５】図５は、実施例１における回転モジュールの底面の構造を示す図である。
【図６】図６は、実施例２におけるスライド機構の構造を示す図である。
【図７】図７は、実施例３における回転機構の構造を示す図である。
【図８】図８は、実施例４における回転機構の構造を示す図である。
【発明を実施するための形態】
【００２７】
以下、図面を参照して本発明をさらに詳細に説明する。
【００２８】
（実施例１）
シーツの交換を容易にするベッドフレームであって、図１に示すように、一端にヘッドボード１０１が設けられた矩形状のベース１００を含む。ベース１００の上方には、マットレスを載置するための回転モジュール１０２が設けられ、本実施例では、スライドモジュール１０２は、１枚のベッドプレートである。回転モジュール１０２とベース１００との間には、さらにスライドモジュール１０３が設けられ、本実施例では、スライドモジュール１０３は、１枚のスライドプレートである。スライドモジュール１０３とベース１００との間には、スライド機構２００が設けられ、スライドモジュール１０３と回転モジュール１０２との間には回転機構３００が設けられている。
【００２９】
スライド機構２００は、図２及び図３に示すように、ベース１００の長手方向に沿って設けられた互いに平行な３本のスライドレール２０１を含み、３本のスライドレール２０１は、ベース１００上に均等に配列されている。回転モジュール１０２の底面には、スライドレール２０１に係合するスライダ２０２が設けられ、スライドレール２０１は、スライダ２０２に嵌め込まれ、回転モジュール１０２を引っ張るだけで、回転モジュール１０２をスライドレール２０１の長手方向にスライドさせることができる。スライドレール２０１の長さは、ベース１００の長さの３分の１から３分の２の間が好ましいが、これに限定されず、回転モジュール１０２が引き出されて回転する際にヘッドボード１０１に接触しないものであればよい。
【００３０】
また、スライドレール２０１の数は、３本に限定されず、２本以上であってもよい。
【００３１】
図３に示すように、ベース１００には、スライドモジュール１０３がスライド移動する初期位置と終端位置とにそれぞれ位置する２つのストッパ１０５が設けられ、スライドモジュール１０３が初期位置にあるとき、回転モジュール１０２（図２参照）のスライドを防止し、スライドモジュール１０３が終端位置にあるとき、作業者が回転モジュール１０２（図２参照）を回転させるのに便利である。ストッパ１０５には、弾性位置決めピンが用いられている。
【００３２】
図２及び図４に示すように、回転機構３００は、スライドモジュール１０３と回転モジュール１０２との間に設けられた回転アセンブリ３０１を含む。回転アセンブリ３０１は、上面が回転モジュール１０２に固着され、底面がスライドモジュール１０３に固着接続された小型回転盤３０１１を含む。スライドモジュール１０３には、小型回転盤３０１１の周囲に均等に設けられた回転部材３０１２が更に設けられている。回転部材３０１２は、好ましくはユニバーサルボールであり、次にユニバーサルホイール等の類似部材を選択することができる。回転部材３０１２は、回転モジュール１０２を支持するとともに、回転部材３０１２自体が自転可能であり、小型回転盤３０１１の作用面積を拡大することに相当する。
【００３３】
図４及び図５に示すように、スライドモジュール１０３には、弾性位置決めピンを用いた対称に設けられた２つの位置決め部材１０４が更に設けられ、回転モジュール１０２の底面には、位置決め部材１０４に係合する位置決め溝１０６が設けられている。２つの位置決め部材１０４は、小型回転盤３０１１に対して対称に設けられ、２つの位置決め部材１０４を結ぶ線は、スライドモジュール１０３のスライド方向に対して垂直である。このように回転モジュール１０２が１８０度回転すると、ちょうど回転モジュール１０２とスライドモジュール１０３とが相対的に固定され、回転モジュール１０２のがたつきが回避される。
【００３４】
具体的な実施手順として、シーツ交換を行う場合には、作業者が回転モジュール１０２を回転させやすい状態にするまで、ベッドボード１０１から離れる方向に沿って回転モジュール１０２を引き出し、スライドモジュール１０３によって回転モジュール１０２をスライドレール２０１に沿ってスライドさせ、しかも回転モジュール１０２が回転中にベッドボード１０１に当たらないようにすることで、作業者が１つの定位置に立った状態で回転モジュール１０２を回転させ、マットレスと回転モジュール１０２との間にシーツを詰め込むことができ、手間と時間とを省くことができる。
【００３５】
（実施例２）
シーツの交換を容易にするベッドフレームであって、実施例１と異なる点として、図６に示すように、スライド機構２００がベース１００に設けられたスライド溝２０３を含み、スライド溝２０３がベース１００の長手方向に沿って設けられ、スライド溝２０３の本数が３本に設けられ、３本のスライド溝２０３がベース１００に均等に設けられている点である。スライド溝２０３の本数は、３本に限定されるものではなく、必要に応じて２本以上設けることができる。回転モジュール１０２（図２参照）の底面には、スライド溝２０３に嵌め込むスライド部材２０４が設けられている。スライド部材２０４は、プーリ又はユニバーサルボールであり、本実施例では、スライド部材２０４は、プーリであることが好ましい。スライド部材２０４は、スライド溝２０３を転動可能である。これにより、回転モジュール１０２（図２参照）は、スライド溝２０３の長手方向に沿ってスライドし、回転モジュール１０２（図２参照）を引き出すことができる。
【００３６】
（実施例３）
シーツの交換を容易にするベッドフレームであって、実施例１と異なる点として、図７に示すように、回転アセンブリ３０１は、スライドモジュール１０３の中心に設けられた軸受ブロック３０１３を含み、回転モジュール１０２には、軸受ブロック３０１３に回転可能に接続された回転軸３０１４が設けられ、回転軸３０１４が軸受ブロック３０１３に回転可能に接続されている点である。これにより回転モジュール１０２が回転可能となり、シーツの交換が容易になる。
【００３７】
（実施例４）
シーツの交換を容易にするベッドフレームであって、実施例１と異なる点として、図８に示すように、回転アセンブリ３０１は、上面が回転モジュール１０２に固着され、底面がスライドモジュール１０３に固着された大型回転盤３０１５を含む点である。回転モジュール１０２は、大型回転盤３０１５によって回転可能であり、シーツの交換を容易にすることができる。
【００３８】
上記の実施例は、本発明の説明のためのものに過ぎず、本発明を限定するものではない。当業者は、本明細書を読んだ後、必要に応じて本実施例に対する創造的な貢献を伴わない修正を行ってもよいが、本発明の請求範囲内であれば、特許法によって保護される。
【００３９】
［付記］
［付記１］
シーツの交換を容易にするベッドフレームであって、
その上にマットレスを載置するための回転モジュール（１０２）が設けられたベース（１００）を含み、
ベース（１００）と回転モジュール（１０２）との間に位置するスライドモジュール（１０３）と、
スライドモジュール（１０３）とベース（１００）との間に位置し、スライドモジュール（１０３）をベース（１００）の長手方向に沿ってスライドさせるスライド機構（２００）と、
スライドモジュール（１０３）と回転モジュール（１０２）との間に位置し、回転モジュール（１０２）をスライドモジュール（１０３）の中軸線を軸心線として回転させる回転機構（３００）とをさらに含む、
ことを特徴とするシーツの交換を容易にするベッドフレーム。
【００４０】
［付記２］
前記スライド機構（２００）は、ベース（１００）に設けられた少なくとも２本のスライドレール（２０１）を含み、
前記スライドレール（２０１）は、ベース（１００）の長手方向に沿って設けられ、
回転モジュール（１０２）の底面には、スライドレール（２０１）と係合するスライダ（２０２）が設けられている、
ことを特徴とする付記１に記載のシーツの交換を容易にするベッドフレーム。
【００４１】
［付記３］
前記スライド機構（２００）は、ベース（１００）に設けられた少なくとも２本のスライド溝（２０３）を含み、
前記スライド溝（２０３）は、ベース（１００）の長手方向に沿って設けられ、
回転モジュール（１０２）の底面には、スライド溝（２０３）に嵌め込むスライド部材（２０４）が設けられ、
スライド部材（２０４）は、スライド溝（２０３）を転動可能であり、
前記スライド部材（２０４）は、プーリ又はユニバーサルボールである、
ことを特徴とする付記１に記載のシーツの交換を容易にするベッドフレーム。
【００４２】
［付記４］
前記回転機構（３００）は、回転モジュール（１０２）とスライドモジュール（１０３）との間に設けられた回転アセンブリ（３０１）を含み、
回転モジュール（１０２）は、回転アセンブリ（３０１）により回転可能である、
ことを特徴とする付記２又は３に記載のシーツの交換を容易にするベッドフレーム。
【００４３】
［付記５］
前記回転アセンブリ（３０１）は、スライドモジュール（１０３）に設けられた軸受ブロック（３０１３）を含み、
前記回転モジュール（１０２）には、軸受ブロック（３０１３）に回転可能に接続された回転軸（３０１４）が設けられている、
ことを特徴とする付記４に記載のシーツの交換を容易にするベッドフレーム。
【００４４】
［付記６］
前記回転アセンブリ（３０１）は、上面が回転モジュール（１０２）に固着され、底面がスライドモジュール（１０３）に固着された大型回転盤（３０１５）を含む、
ことを特徴とする付記４に記載のシーツの交換を容易にするベッドフレーム。
【００４５】
［付記７］
前記回転アセンブリ（３０１）は、上面が回転モジュール（１０２）に固着され、底面がスライドモジュール（１０３）に固着された小型回転盤（３０１１）を含み、
スライドモジュール（１０３）には、小型回転盤（３０１１）を囲んで設けられた複数の回転部材（３０１２）を更に設けられ、
前記回転部材（３０１２）は、ユニバーサルボールまたはユニバーサルホイールである、
ことを特徴とする付記４に記載のシーツの交換を容易にするベッドフレーム。
【００４６】
［付記８］
前記ベース（１００）には、それぞれスライドモジュール（１０３）がスライド移動する初期位置と終端位置とに位置する２つのストッパ（１０５）が設けられている、
ことを特徴とする付記１に記載のシーツの交換を容易にするベッドフレーム。
【００４７】
［付記９］
前記スライドモジュール（１０３）には、小型回転盤（３０１１）に関して対象に設けられた２つの位置決め部材（１０４）が更に設けられ、
回転モジュール（１０２）の底面には、位置決め部材（１０４）と係合する位置決め溝（１０６）が設けられ、
２つの位置決め部材（１０４）を結ぶ線は、スライドモジュール（１０３）のスライド方向に対して垂直である、
ことを特徴とする付記７に記載のシーツの交換を容易にするベッドフレーム。
【符号の説明】
【００４８】
１００：ベース；１０１：ヘッドボード；１０２：回転モジュール；１０３：スライドモジュール；１０４：位置決め部材；１０５：ストッパ；１０６：位置決め溝；２００：スライド機構；２０１：スライドレール；２０２：スライダ；２０３：スライド溝；２０４：スライド部材；３００：回転機構；３０１：回転アセンブリ；３０１１：小型回転盤；３０１２：回転部材；３０１３：軸受ブロック；３０１４：回転軸；３０１５：大型回転盤。
【図１】
2021518801.tif 000003
【図２】
2021518801.tif 000004
【図３】
2021518801.tif 000005
【図４】
2021518801.tif 000006
【図５】
2021518801.tif 000007
【図６】
2021518801.tif 000008
【図７】
2021518801.tif 000009
【図８】
2021518801.tif 000010
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
シーツの交換を容易にするベッドフレームであって、
その上にマットレスを載置するための回転モジュール（１０２）が設けられたベース（１００）を含み、
ベース（１００）と回転モジュール（１０２）との間に位置するスライドモジュール（１０３）と、
スライドモジュール（１０３）とベース（１００）との間に位置し、スライドモジュール（１０３）をベース（１００）の長手方向に沿ってスライドさせるスライド機構（２００）と、
スライドモジュール（１０３）と回転モジュール（１０２）との間に位置し、回転モジュール（１０２）をスライドモジュール（１０３）の中軸線を軸心線として回転させる回転機構（３００）とをさらに含み、
前記スライド機構（２００）は、ベース（１００）に設けられた少なくとも２本のスライドレール（２０１）又はスライド溝（２０３）を含み、
スライドレール（２０１）又はスライド溝（２０３）は、ベース（１００）の長手方向に沿って設けられ、
回転モジュール（１０２）の底面には、スライドレール（２０１）と係合するスライダ（２０２）が設けられて、又は、回転モジュール（１０２）の底面には、スライド溝（２０３）に嵌め込むスライド部材（２０４）が設けられ、スライド部材（２０４）は、スライド溝（２０３）を転動可能であり、前記スライド部材（２０４）は、プーリ又はユニバーサルボールであり、
前記回転機構（３００）は、回転モジュール（１０２）とスライドモジュール（１０３）との間に設けられた回転アセンブリ（３０１）を含み、
回転モジュール（１０２）は、回転アセンブリ（３０１）により回転可能であり、
前記回転アセンブリ（３０１）は、スライドモジュール（１０３）に設けられた軸受ブロック（３０１３）を含み、前記回転モジュール（１０２）には、軸受ブロック（３０１３）に回転可能に接続された回転軸（３０１４）が設けられ、又は、
前記回転アセンブリ（３０１）は、上面が回転モジュール（１０２）に固着され、底面がスライドモジュール（１０３）に固着された大型回転盤（３０１５）を含み、又は、
前記回転アセンブリ（３０１）は、上面が回転モジュール（１０２）に固着され、底面がスライドモジュール（１０３）に固着された小型回転盤（３０１１）を含み、スライドモジュール（１０３）には、小型回転盤（３０１１）を囲んで設けられた複数の回転部材（３０１２）が更に設けられ、前記回転部材（３０１２）は、ユニバーサルボールまたはユニバーサルホイールである、
ことを特徴とするシーツの交換を容易にするベッドフレーム。
【請求項２】
前記ベース（１００）には、それぞれスライドモジュール（１０３）がスライド移動する初期位置と終端位置とに位置する２つのストッパ（１０５）が設けられている、
ことを特徴とする請求項１に記載のシーツの交換を容易にするベッドフレーム。
【請求項３】
前記スライドモジュール（１０３）には、小型回転盤（３０１１）に関して対象に設けられた２つの位置決め部材（１０４）が更に設けられ、
回転モジュール（１０２）の底面には、位置決め部材（１０４）と係合する位置決め溝（１０６）が設けられ、
２つの位置決め部材（１０４）を結ぶ線は、スライドモジュール（１０３）のスライド方向に対して垂直である、
ことを特徴とする請求項１に記載のシーツの交換を容易にするベッドフレーム。
【国際調査報告】
2021518801.tif 000011
2021518801.tif 000012
2021518801.tif 000013
2021518801.tif 000014
2021518801.tif 000015